(57)【要約】【課題】ＡＩＳが転送される際にパスの接続状態の監視を可能とする。【解決手段】前段の装置から送信される主信号中のオーバヘッド情報を抽出するオーバヘッド抽出回路２（１４）と、オーバヘッド情報に含まれる第１のパス設定情報または前段の装置から第１の補助信号を用いて送信される第２のパス設定情報を用いてパスの接続監視を行うパス監視回路３（１５）と、後段の装置に対して警報表示信号を転送する際、後段の装置への補助信号を用いて第１または第２のパス設定情報を転送する補助信号切替回路６（１８）と、を備える。パス監視回路３（１５）は、第１または第２のパス設定情報と予め記憶してある第３のパス設定情報とを比較するパス判定回路を備え、主信号中に含まれる所定のフレーム単位でのクロスコネクト処理をパス判定回路の判定結果に基づいて行うクロスコネクト処理回路４（１６）をさらに備える。【選択図】図１
2008104014.tif 000002
【特許請求の範囲】
【請求項１】
前段の装置から送信される主信号中のオーバヘッド情報を抽出する第１のオーバヘッド抽出回路と、
前記オーバヘッド情報に含まれる第１のパス設定情報または前記前段の装置から第１の補助信号を用いて送信される第２のパス設定情報を用いてパスの接続監視を行うパス監視回路と、
後段の装置に対して警報表示信号を転送する際、前記後段の装置への第２の補助信号を用いて前記第１または第２のパス設定情報を転送する補助信号切替回路と、
を備えることを特徴とするＳＤＨ（Ｓｙｎｃｈｒｏｎｏｕｓ  Ｄｉｇｉｔａｌ  Ｈｉｅｒａｒｃｈｙ）伝送装置。
【請求項２】
前記パス監視回路は、前記第１または第２のパス設定情報と予め記憶してある第３のパス設定情報とを比較するパス判定回路を備え、
前記主信号中に含まれる所定のフレーム単位でのクロスコネクト処理を前記パス判定回路の判定結果に基づいて行うクロスコネクト処理回路をさらに備えることを特徴とする請求項１記載のＳＤＨ伝送装置。
【請求項３】
前記オーバヘッド情報は、前記第１の補助信号を用いて前記第１または第２のパス設定情報を転送しているか否かを表すパス情報転送ビットを含むことを特徴とする請求項１記載のＳＤＨ伝送装置。
【請求項４】
前記クロスコネクト処理回路の出力信号中の所定のフレームにおけるオーバヘッドに挿入されているパストレース情報を抽出して前記パス監視回路に出力する第２のオーバヘッド抽出回路をさらに備え、
前記パス監視回路は、前記クロスコネクト処理回路の入力と出力における情報を元に前記パストレース情報の監視を行うことを特徴とする請求項２記載のＳＤＨ伝送装置。
【請求項５】
前記主信号と前記第１または第２の補助信号とのいずれか一方は、無線回線で伝送されることを特徴とする請求項１記載のＳＤＨ伝送装置。
【請求項６】
送信部と受信部とを備え、
前記送信部および受信部は、それぞれ前記第１のオーバヘッド抽出回路と前記パス監視回路と前記補助信号切替回路とを備えることを特徴とする請求項１記載のＳＤＨ伝送装置。
【請求項７】
前記送信部および受信部は、それぞれ請求項２記載の前記クロスコネクト処理回路をさらに備えることを特徴とする請求項６記載のＳＤＨ伝送装置。
【請求項８】
前記送信部および受信部は、それぞれ請求項４記載の前記第２のオーバヘッド抽出回路をさらに備えることを特徴とする請求項７記載のＳＤＨ伝送装置。
【請求項９】
前段の装置から送信される主信号中のオーバヘッド情報を抽出するステップと、
前記オーバヘッド情報に含まれる第１のパス設定情報または前記前段の装置から第１の補助信号を用いて送信される第２のパス設定情報を用いてパスの接続監視を行うステップと、
後段の装置に対して警報表示信号を転送する際、前記後段の装置への第２の補助信号を用いて前記パス設定情報を転送するステップと、
を含むことを特徴とするＳＤＨ（Ｓｙｎｃｈｒｏｎｏｕｓ  Ｄｉｇｉｔａｌ  Ｈｉｅｒａｒｃｈｙ）伝送装置のパス監視方法。
【請求項１０】
前記第１または第２のパス設定情報と予め記憶してある第３のパス設定情報とを比較するステップと、
前記比較判定結果に基づき前記主信号中に含まれる所定のフレーム単位でのクロスコネクト処理を行うステップと、
をさらに含むことを特徴とする請求項９記載のＳＤＨ伝送装置のパス監視方法。
【請求項１１】
前記オーバヘッド情報は、前記第１の補助信号を用いて前記第１または第２のパス設定情報を転送しているか否かを表すパス情報転送ビットを含むことを特徴とする請求項９記載のＳＤＨ伝送装置のパス監視方法。
【請求項１２】
前記クロスコネクト処理によって得られる出力信号中の所定のフレームにおけるオーバヘッドに挿入されているパストレース情報を抽出して出力するステップを含み、
前記パスの接続監視を行うステップにおいて、前記クロスコネクト処理の前後における情報を元に前記パストレース情報の監視を行うことを特徴とする請求項１０記載のＳＤＨ伝送装置のパス監視方法。
【請求項１３】
前記パスの接続監視を行うステップにおいて、
前記前段の装置からの警報表示信号が送信されているか否かを検出するステップと、
前記警報表示信号が送信されている場合に、前記パス情報転送ビットが前記第１または第２のパス設定情報を転送していることを示すか否かを検出するステップと、
前記第１または第２のパス設定情報を転送していることを示す場合に、前記第１の補助信号を用いて転送している前記第１または第２のパス設定情報を抽出するステップと、
を含むことを特徴とする請求項９記載のＳＤＨ伝送装置のパス監視方法。
【請求項１４】
前記ＳＤＨ伝送装置は、送信部と受信部とを備え、前記送信部および受信部のそれぞれにおいて、請求項９〜１３に記載のパス監視方法を実行することを特徴とするＳＤＨ伝送装置のパス監視方法。
【発明の詳細な説明】
【技術分野】
【０００１】
本発明は、ＳＤＨ（同期ディジタルハイアラーキ：Ｓｙｎｃｈｒｏｎｏｕｓ  Ｄｉｇｉｔａｌ  Ｈｉｅｒａｒｃｈｙ）伝送装置およびそのパス監視方法に係り、特に、パスの接続状態の監視技術に係る。
【背景技術】
【０００２】
ＩＴＵ−Ｔ勧告Ｇ．７０７等において、同期ディジタルハイアラーキ（ＳＤＨ）のネットワークノードインタフェース（ＮＮＩ）が規定されている。ここで規定されているＳＴＭ（Ｓｙｎｃｈｒｏｎｏｕｓ  Ｔｒａｎｓｆｅｒ  Ｍｏｄｕｌｅ）フレームは、伝送端局および中継端局間の管理情報バイトであるセクションオーバヘッド（ＳＯＨ：Ｓｅｃｔｉｏｎ  Ｏｖｅｒｈｅａｄ）と、各ＶＣ（Ｖｉｒｔｕａｌ  Ｃｏｎｔａｉｎｅｒ）のＳＴＭフレーム中における先頭位置を指し示すポインタ（ＰＴＲ）と、ＶＣを複数格納するペイロードとからなる。各ＶＣには、Ｊ１、Ｂ３等の管理情報バイトからなるパスオーバヘッド（ＰＯＨ：Ｐａｔｈ  Ｏｖｅｒｈｅａｄ）が含まれる。同期網において、ＳＴＭ−Ｎフレームのセクションオーバヘッド（ＳＯＨ）やパスオーバヘッド（ＰＯＨ）に多重されているＪ０、Ｊ１、Ｊ２バイトは、パストレースバイトとしてパスの接続状態の監視などの目的で用いられている。
【０００３】
ところで、このようなＳＴＭフレームを用いたＳＤＨ伝送システムを、冗長を持たせて構成し（運用系、予備系）、運用系に障害が生じた場合に予備系に切替える方路切替制御が行われている。例えば、特許文献１には、冗長構成を有する同期網（ＳＤＨ）において、ＶＣ−３（３次群バーチャル・コンテナ）パスの接続状態を監視するため、Ｊ１バイトにパストレースパターンを挿入し、送信局と受信局間で接続状態を監視することにより、ＶＣ−３パスの上りと下り方向のパスを自動的に同系選択に制御する方式が開示されている。
【０００４】
また、関連技術として、特許文献２には、途中区間に回線障害が発生しても補助信号を正しく伝送することができる冗長構成を有する補助信号伝送システムが開示されている。さらに、特許文献３には、同期網（ＳＤＨ）におけるパス・スイッチ・リング制御装置に関し、特に同期網（ＳＤＨ）に非同期（ＰＤＨ）サブネットワークが含まれる場合に後者で発生した障害を救済するパス・スイッチ・リング制御装置が記載されている。
【０００５】
【特許文献１】特開平８−２０４６７０号公報
【特許文献２】特開平８−３３１０８９号公報
【特許文献３】特開平１０−２３０５３号公報
【発明の開示】
【発明が解決しようとする課題】
【０００６】
従来の同期通信システムでは、ＳＴＭ−Ｎフレームのオーバヘッドデータとして多重されているパストレースバイト（Ｊ０、Ｊ１、Ｊ２）を用いて、パスの誤接続監視を行っている。しかし、前段（上流）の装置または回線に障害が発生した際、上位のセクション又はパス区間が異常状態にあることを表わす警報信号であるＡＩＳ（Ａｌａｒｍ  Ｉｎｄｉｃａｔｉｏｎ  Ｓｉｇｎａｌ）を後段（下流）の装置へ転送することになるため、ＩＴＵ−Ｔ  Ｇ．７０７において規定されているＡＩＳを受信した場合、パストレースバイトを用いたパス監視が出来ない虞がある。
【０００７】
すなわち、ＩＴＵ−Ｔ  Ｇ．７０７では、ＡＩＳとしてＭＳ−ＡＩＳ（Ｍｕｌｔｉｐｌｅｘ  Ｓｅｃｔｉｏｎ−ＡＩＳ）、ＭＳＦ−ＡＩＳ（Ｍｕｌｔｉｐｌｅｘ  Ｓｅｃｔｉｏｎ  ＦＥＣ  Ａｌａｒｍ  Ｉｎｄｉｃａｔｉｏｎ  Ｓｉｇｎａｌ）、ＡＵ−ＡＩＳ（Ａｄｍｉｎｉｓｔｒａｔｉｖｅ  Ｕｎｉｔ−ＡＩＳ）、ＴＵ−ＡＩＳ（Ｔｒｉｂｕｔａｒｙ  Ｕｎｉｔ−ＡＩＳ）、ＶＣ−ＡＩＳ（Ｖｉｒｔｕａｌ  Ｃｏｎｔａｉｎｅｒ−ＡＩＳ）を定めている。例えば、ＭＳ−ＡＩＳでは、ＲＳＯＨ（中継セクションオーバヘッド：Ｒｅｇｅｎｅｒａｔｏｒ  Ｓｅｃｔｉｏｎ  Ｏｖｅｒｈｅａｄ）以外のＳＴＭ−Ｎフレームを全て「１」でマスクするようになっており、ＡＵ−ＡＩＳではＡＵポインタを含むＡＵ−ｎフレームを全て「１」でマスクするように規定されている。このため、回線障害や装置障害などが発生し、後段の装置へ障害を知らせるためにＡＩＳを転送する際に、例えばＶＣ−ＡＩＳではＶＣポインタも含めＶＣフレーム全体を「１」でマスクする仕様になっている。したがって、同期網（ＳＤＨ）において、ＡＩＳを下流に転送する場合、ＳＴＭ−Ｎフレームのオーバヘッドデータとして多重されているパストレースバイト（Ｊ０、Ｊ１、Ｊ２）を用いた手法では、回線誤接続を検出することができず、誤ったパスにＡＩＳを転送する可能性がある。
【０００８】
したがって、本発明の目的は、ＡＩＳが転送される際にパスの接続状態の監視を可能とすることにある。
【課題を解決するための手段】
【０００９】
本発明の１つのアスペクトに係るＳＤＨ伝送装置は、前段の装置から送信される主信号中のオーバヘッド情報を抽出する第１のオーバヘッド抽出回路と、オーバヘッド情報に含まれる第１のパス設定情報または前段の装置から第１の補助信号を用いて送信される第２のパス設定情報を用いてパスの接続監視を行うパス監視回路と、後段の装置に対して警報表示信号を転送する際、後段の装置への第２の補助信号を用いて第１または第２のパス設定情報を転送する補助信号切替回路と、を備える。
【００１０】
第１の展開形態のＳＤＨ伝送装置において、パス監視回路は、第１または第２のパス設定情報と予め記憶してある第３のパス設定情報とを比較するパス判定回路を備え、主信号中に含まれる所定のフレーム単位でのクロスコネクト処理をパス判定回路の判定結果に基づいて行うクロスコネクト処理回路をさらに備えるようにしてもよい。
【００１１】
第２の展開形態のＳＤＨ伝送装置において、オーバヘッド情報は、第１の補助信号を用いて第１または第２のパス設定情報を転送しているか否かを表すパス情報転送ビットを含んでもよい。
【００１２】
第３の展開形態のＳＤＨ伝送装置において、クロスコネクト処理回路の出力信号中の所定のフレームにおけるオーバヘッドに挿入されているパストレース情報を抽出してパス監視回路に出力する第２のオーバヘッド抽出回路をさらに備え、パス監視回路は、クロスコネクト処理回路の入力と出力における情報を元にパストレース情報の監視を行うようにしてもよい。
【００１３】
第４の展開形態のＳＤＨ伝送装置において、主信号と第１または第２の補助信号とのいずれか一方は、無線回線で伝送されるようにしてもよい。
【００１４】
第５の展開形態のＳＤＨ伝送装置において、送信部と受信部とを備え、送信部および受信部は、それぞれ第１のオーバヘッド抽出回路とパス監視回路と補助信号切替回路とを備えるようにしてもよい。
【００１５】
第６の展開形態のＳＤＨ伝送装置において、送信部および受信部は、それぞれクロスコネクト処理回路をさらに備えるようにしてもよい。
【００１６】
第７の展開形態のＳＤＨ伝送装置において、送信部および受信部は、それぞれ第２のオーバヘッド抽出回路をさらに備えるようにしてもよい。
【００１７】
本発明の１つのアスペクトに係るＳＤＨ伝送装置のパス監視方法は、前段の装置から送信される主信号中のオーバヘッド情報を抽出するステップと、オーバヘッド情報に含まれる第１のパス設定情報または前段の装置から第１の補助信号を用いて送信される第２のパス設定情報を用いてパスの接続監視を行うステップと、後段の装置に対して警報表示信号を転送する際、後段の装置への第２の補助信号を用いてパス設定情報を転送するステップと、を含む。
【００１８】
第２の展開形態のＳＤＨ伝送装置のパス監視方法において、第１または第２のパス設定情報と予め記憶してある第３のパス設定情報とを比較するステップと、比較判定結果に基づき主信号中に含まれる所定のフレーム単位でのクロスコネクト処理を行うステップと、をさらに含んでもよい。
【００１９】
第３の展開形態のＳＤＨ伝送装置のパス監視方法において、クロスコネクト処理によって得られる出力信号中の所定のフレームにおけるオーバヘッドに挿入されているパストレース情報を抽出して出力するステップを含み、パスの接続監視を行うステップにおいて、クロスコネクト処理の前後における情報を元にパストレース情報の監視を行うようにしてもよい。
【００２０】
第４の展開形態のＳＤＨ伝送装置のパス監視方法において、パスの接続監視を行うステップにおいて、前段の装置からの警報表示信号が送信されているか否かを検出するステップと、警報表示信号が送信されている場合に、パス情報転送ビットが第１または第２のパス設定情報を転送していることを示すか否かを検出するステップと、第１または第２のパス設定情報を転送していることを示す場合に、第１の補助信号を用いて転送している第１または第２のパス設定情報を抽出するステップと、を含んでもよい。
【発明の効果】
【００２１】
本発明によれば、後段の装置へＡＩＳを転送する際、補助信号を用いてパス設定情報の転送を行うため、ＡＩＳ処理によってマスクされてしまうオーバヘッドを後段の装置において受信することができる。したがって、後段の装置は、ＡＩＳが転送される際にパスの接続監視が可能になる。
【００２２】
また、本発明によれば、クロスコネクト回路の前後においてパス制御情報の監視を行うため、クロスコネクト回路における設定ミスや障害発生を検出することが可能になる。
【発明を実施するための最良の形態】
【００２３】
本発明の実施形態に係るＳＤＨ伝送装置は、ＡＵ−ｎ／ＴＵ−ｎ／ＶＣ−ｎレベルでのクロスコネクト機能を持つ同期通信システムによって構成された同期網に適用される。ＳＤＨ伝送装置は、前段の装置から入力される主信号（ＳＴＭ−Ｎ信号）に対してオーバヘッド処理を行い、主信号中のオーバヘッドに挿入されたパス設定情報と予め記憶してある装置のパス設定情報とを比較判定することによってパスの誤接続を検出する。また、前段の装置において障害等が発生し、障害等に伴ってＡＩＳを受信した場合には、補助信号の帯域を用いてパス設定データを転送する。すなわち、回線障害などによってＡＩＳを後段の装置へ転送する際に、ＳＴＭ−Ｎフレームのオーバヘッドデータとして多重されているパストレースバイト（Ｊ０、Ｊ１、Ｊ２）に相当するパス設定データを補助信号の帯域を用いて後段の装置に対し伝送する。このような伝送を行うことで、後段の装置において、補助信号の帯域からパス設定データを抽出して、ＳＴＭ−Ｎフレームのオーバヘッドに挿入されているパストレースバイトに相当するパス設定データを受信することができる。したがって、ＡＩＳ転送時におけるパスの誤接続監視が可能になる。以下、実施例に即し、図面を参照して詳細に説明する。
【実施例１】
【００２４】
図１は、本発明の第１の実施例に係るＳＤＨ伝送装置の構成を示すブロック図である。図１において、ＳＤＨ伝送装置は、送信部１００と受信部２００とから構成される。始めに、送信部１００の構成について説明する。送信部１００は、クロック抽出回路１、オーバヘッド抽出回路２、パス監視回路３、クロスコネクト処理回路４、オーバヘッド挿入回路５、補助信号切替回路６、無線送信回路７を備える。
【００２５】
クロック抽出回路１は、送信ＳＴＭ−Ｎ信号１ａからクロック信号を抽出し、クロック信号１ｂとしてオーバヘッド抽出回路２へ出力する。
【００２６】
オーバヘッド抽出回路２は、クロック抽出回路１より入力されたクロック信号１ｂを用いて、送信ＳＴＭ−Ｎ信号１ａからＳＴＭ−Ｎフレーム中のオーバヘッドデータの抽出を行い、送信ＳＴＭ−Ｎオーバヘッドデータ１ｃをパス監視回路３へ出力し、ＶＣ−４フレームへのデマッピング処理を行い、送信ＶＣ−４信号１ｄをクロスコネクト処理回路４へ出力する。すなわち、オーバヘッド抽出回路２は、ＳＴＭ−Ｎフレームに挿入されているパストレースバイト（Ｊ０、Ｊ１、Ｊ２）およびパス情報転送ビットを抽出する。パス情報転送ビットは、上流の装置からＡＩＳを下流の装置に転送する際に、補助信号の帯域にパス設定情報を多重していることを示すものであり、ＳＴＭ−ＮフレームのＲＳＯＨの空きビットに多重される。ここで挿入されるパス情報転送ビットは、補助信号の帯域にパス設定情報を多重しているか否かを示すのみであるので、ＲＳＯＨの空きビットに１ビットの多重領域を確保するだけでよく、例えば補助信号の帯域を用いている場合には、送信部パス情報転送ビット１ｆに「１」を挿入し、補助信号の帯域を用いていない場合には、「０」を多重すればよい。なお、後述する受信部パス情報転送ビット２ｉ、抽出パス情報転送ビット３ａも、送信部パス情報転送ビット１ｆに相当する内容を有する。
【００２７】
パス監視回路３は、送信ＳＴＭ−Ｎオーバヘッドデータ１ｃからＡＩＳの検出およびパストレースバイトの抽出を行う。また、送信ＳＴＭ−Ｎオーバヘッドデータ１ｃまたは送信補助信号１ｇからパスの誤接続判定を行う。そして、送信部パス設定データ１ｅをクロスコネクト処理回路４、オーバヘッド挿入回路５、および補助信号切替回路６へ出力し、送信部パス情報転送ビット１ｆをオーバヘッド挿入回路５および補助信号切替回路６へ出力する。パス監視回路３の詳細については、後述する。
【００２８】
クロスコネクト処理回路４は、送信ＶＣ−４信号１ｄに対し、送信部パス設定データ１ｅに従いＶＣ−４フレーム単位でのクロスコネクト処理を行い、送信ＶＣ−４（ＸＣ）信号１ｈを出力する。
【００２９】
オーバヘッド挿入回路５は、送信ＶＣ−４（ＸＣ）信号１ｈに対しＳＴＭ−Ｎフレームへのマッピング処理を行うと共に、送信部パス設定データ１ｅと送信部パス情報転送ビット１ｆとをＳＴＭ−Ｎフレームのオーバヘッドへ挿入し、送信ＳＴＭ−Ｎデータ信号１ｉを生成して無線送信回路７へ出力する。より具体的には、オーバヘッド挿入回路５は、送信部パス情報転送ビット１ｆをＳＴＭ−ＮフレームにおけるＲＳＯＨの空きビットに挿入し、送信部パス設定データ１ｅをＳＴＭ−Ｎフレームのパストレースバイト（Ｊ０、Ｊ１、Ｊ２）に挿入する。
【００３０】
補助信号切替回路６は、送信部パス情報転送ビット１ｆによって送信部パス設定データ１ｅと送信補助信号１ｇとの選択を行い、送信補助データ信号１ｊを無線送信回路７へ出力する。この場合、補助信号切替回路６は、送信部パス設定データ１ｅを補助信号の帯域に多重する。
【００３１】
無線送信回路７は、送信ＳＴＭ−Ｎデータ信号１ｉと送信補助データ信号１ｊとを無線フレームに多重し、無線送信信号１ｋとして無線伝送路を介し、後段の装置へ送信する。
【００３２】
次に、受信部２００について説明する。受信部２００は、無線受信回路１１、受信データ抽出回路１２、フレーム同期回路１３、オーバヘッド抽出回路１４、パス監視回路１５、クロスコネクト処理回路１６、オーバヘッド挿入回路１７、補助信号切替回路１８を備える。
【００３３】
無線受信回路１１は、前段の装置から無線伝送路を介し無線受信信号２ａを受信し、無線フレーム受信データ信号２ｂとして受信データ抽出回路１２およびフレーム同期回路１３へ出力する。
【００３４】
フレーム同期回路１３は、無線フレーム受信データ信号２ｂに対しフレーム同期処理を行い、受信データ抽出タイミング信号２ｃを受信データ抽出回路１２へ出力する。
【００３５】
受信データ抽出回路１２は、受信データ抽出タイミング信号２ｃを用いて無線フレーム受信データ信号２ｂからＳＴＭ−Ｎデータ信号の抽出を行い、主信号として受信ＳＴＭ−Ｎデータ信号２ｄをオーバヘッド抽出回路１４へ出力し、補助信号として受信補助データ信号２ｅをパス監視回路１５および補助信号切替回路１８へ出力する。
【００３６】
オーバヘッド抽出回路１４は、受信ＳＴＭ−Ｎデータ信号２ｄに対しＳＴＭ−Ｎフレーム中のオーバヘッドデータの抽出を行って受信ＳＴＭ−Ｎオーバヘッドデータ２ｆをパス監視回路１５へ出力し、ＶＣ−４フレームへのデマッピング処理を行って受信ＶＣ−４信号２ｇをクロスコネクト処理回路１６へ出力する。オーバヘッド抽出回路１４において抽出するオーバヘッドデータは、オーバヘッド抽出回路２と同様に、ＳＴＭ−Ｎフレームに挿入されているパストレースバイト（Ｊ０、Ｊ１、Ｊ２）およびパス情報転送ビットである。
【００３７】
パス監視回路１５は、受信ＳＴＭ−Ｎオーバヘッドデータ２ｆまたは受信補助データ信号２ｅによってパスの誤接続判定を行い、受信部パス設定データ２ｈをクロスコネクト処理回路１６、オーバヘッド挿入回路１７、および補助信号切替回路１８へ出力し、受信部パス情報転送ビット２ｉをオーバヘッド挿入回路１７および補助信号切替回路１８へ出力する。なお、パス監視回路１５の構成および動作は、パス監視回路３と同様であり、後により詳細に説明する。
【００３８】
クロスコネクト処理回路１６は、受信ＶＣ−４信号２ｇに対し、受信部パス設定データ２ｈに従いＶＣ−４フレーム単位でのクロスコネクト処理を行い、受信ＶＣ−４（ＸＣ）信号２ｊをオーバヘッド挿入回路１７に出力する。
【００３９】
オーバヘッド挿入回路１７は、受信ＶＣ−４（ＸＣ）信号２ｊに対しＳＴＭ−Ｎフレームへのマッピング処理を行い、受信部パス設定データ２ｈと受信部パス情報転送ビット２ｉをＳＴＭ−Ｎフレームのオーバヘッドへ挿入し、受信ＳＴＭ−Ｎ信号２ｋを装置外部へ出力する。すなわち、オーバヘッド挿入回路１７は、オーバヘッド挿入回路５と同様に、受信部パス情報転送ビット２ｉをＳＴＭ−ＮフレームにおけるＲＳＯＨの空きビットに挿入し、受信部パス設定データ２ｈをＳＴＭ−Ｎフレームのパストレースバイト（Ｊ０、Ｊ１、Ｊ２）に挿入する。
【００４０】
補助信号切替回路１８は、受信部パス情報転送ビット２ｉによって受信部パス設定データ２ｈと受信補助データ信号２ｅとの選択を行い、受信補助信号２ｍとして装置外部へ出力する。この際、補助信号切替回路１８は、補助信号切替回路６と同様に、受信部パス設定データ２ｈを受信補助信号２ｍに多重する。
【００４１】
次に、パス監視回路３およびパス監視回路１５について詳しく説明する。パス監視回路３およびパス監視回路１５は、同一の構成であるため、ここではパス監視回路３を例として取り上げ説明する。図２は、パス監視回路３（１５）の構成を示すブロック図である。図２において、パス監視回路３は、オーバヘッド処理回路２１、メモリ２２、パス判定回路２３を備える。
【００４２】
オーバヘッド処理回路２１は、送信ＳＴＭ−Ｎオーバヘッドデータ１ｃ（受信ＳＴＭ−Ｎオーバヘッドデータ２ｆ）からＡＩＳの検出およびオーバヘッドデータの分離処理を行い、抽出パス情報転送ビット３ａ、ＡＩＳ発動アラーム３ｂおよびパストレースバイト３ｃを取り出してパス判定回路２３へ出力する。メモリ２２は、予め保持してある装置パス設定情報３ｄをパス判定回路２３へ出力する。パス判定回路２３は、抽出パス情報転送ビット３ａおよびＡＩＳ発動アラーム３ｂに基づいて装置パス設定情報３ｄとパストレースバイト３ｃまたは送信補助信号１ｇ（受信補助データ信号２ｅ）との一致判定を行い、送信部パス設定データ１ｅ（受信部パス設定データ２ｈ）および送信部パス情報転送ビット１ｆ（受信部パス情報転送ビット２ｉ）を出力する。
【００４３】
次に、パス監視回路３の動作について、図２および図３を用いて説明する。図３は、パス監視回路３の動作を表すフローチャートである。図３において、オーバヘッド処理回路２１においてＡＩＳ発動アラーム３ｂが検出されない場合（ステップＡ１のＮｏ）、つまり正常にデータ伝送が行われている場合、ＳＴＭ−Ｎフレームのオーバヘッドからパストレースバイト３ｃの抽出を行い（ステップＡ２）、装置パス設定情報３ｄとの一致判定を行う（ステップＡ３）。
【００４４】
一方、オーバヘッド処理回路２１において、ＡＩＳ発動アラーム３ｂが検出された場合（ステップＡ１のＹｅｓ）、ＳＴＭ−Ｎフレームからパス情報転送ビット、すなわち抽出パス情報転送ビット３ａの抽出を行う（ステップＡ４）。続いて、抽出パス情報転送ビット３ａの検出を行う（ステップＡ５）。抽出パス情報転送ビット３ａが検出されなかった場合（ステップＡ５のＮｏ）、送信部パス情報転送ビット１ｆを生成し（ステップＡ６）、生成した送信部パス情報転送ビット１ｆをＳＴＭ−Ｎフレームのオーバヘッドに挿入する（ステップＡ７）。ここで挿入される送信部パス情報転送ビット１ｆは、補助信号の帯域を用いてパス設定情報を転送することを表し、前述したようにＲＳＯＨの空きビットに１ビット多重領域を確保するだけでよく、例えば補助信号の帯域を用いる場合には、送信部パス情報転送ビット１ｆに「１」をセットし、補助信号の帯域を用いない場合には、「０」をセットする。そして、装置パス設定情報３ｄを送信部パス設定データ１ｅとして補助信号の帯域に多重する（ステップＡ８）。
【００４５】
また、送信部パス情報転送ビット１ｆが検出された場合（ステップＡ５のＹｅｓ）、補助信号の帯域から送信補助信号１ｇを抽出し（ステップＡ９）、装置パス設定情報３ｄと送信補助信号１ｇとの一致判定を行う（ステップＡ１０）。一致判定後、ステップＡ６に進む。
【００４６】
以上のように構成されるＳＤＨ伝送装置によれば、ＳＴＭ−Ｎフレームのオーバヘッドに挿入されているパストレースバイトまたは補助信号の帯域を用いて転送されるパス設定データを元にパスの誤接続監視が可能である。この場合、上流の装置等において障害が発生し、ＡＩＳを受信した場合においても、補助信号の帯域を用いてパス設定データを転送するようにする。したがって、下流の装置においてＳＴＭ−Ｎフレームのオーバヘッドに挿入されているパストレースバイトに相当するパス設定データを受信することができ、パスの誤接続監視が可能になる。すなわち、下流の装置へＡＩＳを転送する際、従来であればＡＩＳ処理によってマスクされてしまうオーバヘッドに関し、パス設定情報を補助信号の帯域を用いて転送を行うため、下流の装置においてパス設定情報を受信することができる。
【実施例２】
【００４７】
図４は、本発明の第２の実施例に係るＳＤＨ伝送装置の構成を示すブロック図である。図４において、図１と同一の符号は、同一物を示し、その説明を省略する。図４では、送信部１００ａにおいて、図１に対してオーバヘッド抽出回路８が追加され、パス監視回路３’は、図１のパス監視回路３に対し、オーバヘッド抽出回路８からの入力が追加されている。また、受信部２００ａにおいて、オーバヘッド抽出回路１９が追加され、パス監視回路１５’は、図１のパス監視回路１５に対し、オーバヘッド抽出回路１９からの入力が追加されている。
【００４８】
オーバヘッド抽出回路８は、送信ＶＣ−４（ＸＣ）信号１ｈに対して、ＶＣ−４フレームのオーバヘッドに挿入されているパストレースバイトを抽出し、送信（ＸＣ）パストレースバイト１ｍをパス監視回路３’に出力する。パス監視回路３’は、送信（ＸＣ）パストレースバイト１ｍとメモリ２２に格納されているパス設定情報との一致判定を行うことによって、クロスコネクト処理回路４の前後におけるパスの誤接続監視を行う。
【００４９】
また、オーバヘッド抽出回路１９は、受信ＶＣ−４（ＸＣ）信号２ｊに対して、ＶＣ−４フレームのオーバヘッドに挿入されているパストレースバイトを抽出し、受信（ＸＣ）パストレースバイト２ｎをパス監視回路１５’に出力する。パス監視回路１５’は、受信（ＸＣ）パストレースバイト２ｎとメモリに格納されているパス設定情報との一致判定を行うことによって、クロスコネクト処理回路１６の前後におけるパスの誤接続監視を行う。
【００５０】
以上のような構成のＳＤＨ伝送装置は、クロスコネクト処理回路の前後におけるパス制御情報の監視を行うことで、クロスコネクト処理における設定ミスや障害の発生を検出することが可能になる。
【図面の簡単な説明】
【００５１】
【図１】本発明の第１の実施例に係るＳＤＨ伝送装置の構成を示すブロック図である。
【図２】送信部および受信部におけるパス監視回路の構成を示すブロック図である。
【図３】パス監視回路の動作を表すフローチャートである。
【図４】本発明の第２の実施例に係るＳＤＨ伝送装置の構成を示すブロック図である。
【符号の説明】
【００５２】
１  クロック抽出回路
１ａ  送信ＳＴＭ−Ｎ信号
１ｂ  クロック信号
１ｃ  送信ＳＴＭ−Ｎオーバヘッドデータ
１ｄ  送信ＶＣ−４信号
１ｅ  送信部パス設定データ
１ｆ  送信部パス情報転送ビット
１ｇ  送信補助信号
１ｈ  送信ＶＣ−４（ＸＣ）信号
１ｉ  送信ＳＴＭ−Ｎデータ信号
１ｊ  送信補助データ信号
１ｋ  無線送信信号
１ｍ  送信（ＸＣ）パストレースバイト
２  オーバヘッド抽出回路
２ａ  無線受信信号
２ｂ  無線フレーム受信データ信号
２ｃ  受信データ抽出タイミング信号
２ｄ  受信ＳＴＭ−Ｎデータ信号
２ｅ  受信補助データ信号
２ｆ  受信ＳＴＭ−Ｎオーバヘッドデータ
２ｇ  受信ＶＣ−４信号
２ｈ  受信部パス設定データ
２ｉ  受信部パス情報転送ビット
２ｊ  受信ＶＣ−４（ＸＣ）信号
２ｋ  受信ＳＴＭ−Ｎ信号
２ｍ  受信補助信号
２ｎ  受信（ＸＣ）パストレースバイト
３、３’  パス監視回路
３ａ  抽出パス情報転送ビット
３ｂ  ＡＩＳ発動アラーム
３ｃ  パストレースバイト
３ｄ  装置パス設定情報
４  クロスコネクト処理回路
５  オーバヘッド挿入回路
６  補助信号切替回路
７  無線送信回路
８  オーバヘッド抽出回路
１１  無線受信回路
１２  受信データ抽出回路
１３  フレーム同期回路
１４  オーバヘッド抽出回路
１５、１５’  パス監視回路
１６  クロスコネクト処理回路
１７  オーバヘッド挿入回路
１８  補助信号切替回路
１９  オーバヘッド抽出回路
２１  オーバヘッド処理回路
２２  メモリ
２３  パス判定回路
１００、１００ａ  送信部
２００、２００ａ  受信部
【図１】
2008104014.tif 000003
【図２】
2008104014.tif 000004
【図３】
2008104014.tif 000005
【図４】
2008104014.tif 000006